(57)【要約】【課題】中綴じ折りされた冊子本に挟み込んだ小用紙類が抜け落ちしにくく、かつ、取出しやすくすることができるようにすること。【解決手段】用紙Ｐ１〜Ｐｎを丁合いする際、用紙Ｐ１〜Ｐｎの中央部をまたがるように小用紙類２を合わせて丁合いした用紙束を作成し、この用紙束の小用紙類２から外れた中央部の両側を針金３で綴じ、綴じた中央部を折り畳んで小用紙類を挿入した中綴じ冊子本１を作成する。冊子本１に挟み込んだ小用紙類は綴じずに端部を冊子の本体とともに折り畳んでいるので、その折り畳みよって小用紙類が抜け落ちにくくなり、かつ、その折り畳みを延ばすと簡単に引き出すことができる。【選択図】  図１
2007301789.tif 000002
【特許請求の範囲】
【請求項１】
丁合いされた用紙束の中央部を、間隔を隔てて針金綴じされ、前記中央部を折り位置として折畳み形成してなる中綴じ冊子本において、前記折り位置にまたがり前記間隔間に小用紙類を挿入して前記用紙束とともに折畳み形成してなることを特徴とする小用紙類を折込み挿入した中綴じ冊子本。
【請求項２】
小用紙類は、長手方向または幅方向に延長部を設けた郵便ハガキからなり、前記延長部を折り曲げてなることを特徴とする請求項１に記載の中綴じ冊子本。
【請求項３】
縦方向に複数の給紙棚を有し、上部の給紙棚から順に供給された用紙を積重ねて丁合いする丁合機の任意の給紙棚の中央部に小用紙類を載置し、前記小用紙類の一枚を他の給紙棚から供給される用紙の中央位置をまたがるよう供給タイミングを遅らせて供給して小用紙類を重ねて丁合いされた用紙束を作成し、作成した用紙束の小用紙類から外れる中央位置を針金綴じ折りしてなることを特徴とする請求項１又は請求項２に記載の小用紙類を折込み挿入した中綴じ冊子本の作成方法。
【発明の詳細な説明】
【技術分野】
【０００１】
本発明は、封筒、はがきなどの小用紙類を折込み挿入した中綴じ冊子本及びその冊子本の作成方法に関するものである。
【背景技術】
【０００２】
従来から、封筒やはがきなどの小用紙類を中綴じ冊子本に挟み込むことが行われている。この場合、単に挟み込むだけでは小用紙類が冊子本から簡単に落下してしまう。この落下を防ぐために小用紙類の端部を糊で貼り付けたり、冊子本のなかにミシン目を付けた厚紙を冊子とともに綴じることが行なわれている。
【特許文献１】実公昭６０−２１２５２号公報
【特許文献２】実用新案登録第３０８１０８０号公報
【発明の開示】
【発明が解決しようとする課題】
【０００３】
しかし、前者の小用紙類の端部を糊で貼り付けるものでは、糊で冊子を汚してしまうという問題があり、後者の冊子とともに綴じるものでは、ミシン目で切り取った後の厚紙の断片が残り体裁が悪いといった問題があった。
【０００４】
本発明が解決しようとする課題は、中綴じ折りされた冊子本に挟み込んだ小用紙類が抜け落ちしにくく、かつ、取出しやすくすることができるようにし、斯かる問題を解消する点にある。
【課題を解決するための手段】
【０００５】
請求項１に係る本発明は、丁合いされた用紙束の中央部を、間隔を隔てて針金綴じされ、前記中央部を折り位置として折畳み形成してなる中綴じ冊子本において、前記折り位置にまたがり前記間隔間に小用紙類を挿入して前記用紙束とともに折畳み形成してなることを特徴とする。
【０００６】
請求項３に係る本発明は、請求項１又は請求項２に記載の小用紙類を折込み挿入した中綴じ冊子本の作成方法であって、縦方向に複数の給紙棚を有し、上部の給紙棚から順に供給された用紙を積重ねて丁合いする丁合機の任意の給紙棚の中央部に小用紙類を載置し、前記小用紙類の一枚を他の給紙棚から供給される用紙の中央位置をまたがるよう供給タイミングを遅らせて供給して小用紙類を重ねて丁合いされた用紙束を作成し、作成した用紙束の小用紙類から外れる中央位置を針金綴じ折りしてなることを特徴とする。
【発明の効果】
【０００７】
本発明では、冊子本に挟み込む小用紙類は綴じずに端部を冊子の本体とともに折り畳んでいるので、その折り畳みよって小用紙類が抜け落ちにくくなり、かつ、その折り畳みを延ばすと簡単に引き出すことができる。また、取出し後は残片がなく体裁のよい冊子本となる。
【発明を実施するための最良の形態】
【０００８】
中綴じ折りされた冊子本に挟み込んだ小用紙類が抜け落ちしにくく、かつ、取出しやすくすることができるようにする目的を、小用紙類を綴じることなく冊子本とともに折畳んで挿入することにより実現した。
【実施例】
【０００９】
以下、本発明に係る実施例について図を参照して説明する。図１は実施例に係る小用紙類を折込み挿入した中綴じ冊子本を示す斜視図で、（ａ）小用紙類の折込みのある頁を開いた状態、（ｂ）は背面を示す図である。図１において、１は冊子本、２は小用紙類（本例では郵便はがき）、３は針金である。冊子本１は冊子本体を構成する例えばＡ３サイズの用紙Ｐ１、Ｐ２、Ｐ３・・を積み重ね、これを中央部で二つに折畳んで構成され、その折畳んだ部位を針金３で綴じられている。小用紙類である郵便はがき２は、その長手方向に延長部２ａが設けられその延長部２ａが針金３で綴じられた間に挿入され、冊子本体を構成する各用紙Ｐ１、Ｐ２、Ｐ３・・とともに折畳まれている。なお、郵便はがき２の延長部２ａは、郵便はがき２の幅方向に設ける場合もある。
【００１０】
図２は、このような小用紙類を綴じることなく折り曲げて挿入した冊子本を作成する装置の一例を示すもので、図２において、４は丁合い機、５は中綴じ折り機、６は排出台、７は折り癖付けローラである。丁合い機４は給紙ローラ４１と、用紙棚４２を備えた給紙装置が複数縦方向に配置され、各給紙装置にまたがって下方に移動する搬送ベルト４３を備え、各給紙装置から供給する用紙を搬送ベルト４３へ送る送りローラ４４を備えている。図示例では、上から３番目の給紙装置の用紙棚の給紙方向と直交する方向の中央部に、給紙方向に引き伸ばした端部を有する郵便はがき２が載置され、他の給紙装置の用紙棚に上から順に冊子本体を構成する各用紙Ｐ１、Ｐ２、Ｐ３・・Ｐｎがそれぞれ載置されている。
【００１１】
丁合い時、上から１番目の給紙装置から一枚の用紙Ｐ１が搬送ベルト４３に送られ用紙Ｐ１は送りローラ４４で搬送ベルト４３に押し付けられ下方へ移動する。その用紙Ｐ１が２番目の給紙装置の位置に移動すると２番目の給紙装置は  その用紙Ｐ１の上に、その用紙Ｐ１の先端に合わせて用紙Ｐ２を供給する。以下同様の手順を繰り返し、最下方の給紙装置の用紙Ｐｎを積重ねて一冊子分の丁合いされた用紙束Ｈが作成される。このとき、上から３番目の給紙装置の用紙棚に載置した郵便はがき２は、用紙Ｐ１とＰ２を重ねた上に供給されるが、その供給タイミングは遅らされている。すなわち、用紙Ｐ１とＰ２を重ねた用紙の先端から後方へＡ分ずれた位置（後の小口部の断裁で切り落とさないため）で積み重ねられる。
【００１２】
このようにして丁合いした用紙束Ｈは中綴じ折り機５の綴じ部に送られる。中綴じ折り機５の綴じ部は、針金綴じするステッチャー５１と、用紙束Ｈの中央部ラインＬをステッチャー５１の位置に合わせて用紙束Ｈを位置決めするストッパ５２備え、位置決めされた用紙束Ｈをステッチャー５１で綴じる。この場合、ステッチャー５１は用紙束Ｈの中央部ラインＬに沿って２台配置されているが、各ステッチャー５１は郵便はがき２から外れた外側に配置されており、郵便はがき２を外して綴じられる。
【００１３】
綴じ後の用紙束Ｈは中綴じ折り機５の折り部に送られる。中綴じ折り機５の折り部は、折りナイフ５３、２個対とした折りローラ５４、用紙束Ｈの中央部ラインＬを折りナイフ５３の位置に合わせて用紙束Ｈを位置決めするストッパ５５を備え、位置決めされた用紙束Ｈを折りナイフ５３で突き上げて折りローラ５４の間に送る。これにより用紙束Ｈはその中央部位置で二つに折り畳まれる。折り畳んだ用紙束Ｈは折り癖付けローラ７で折り癖付けして排出台６上に排出される。排出台６上に排出され用紙束Ｈは、通常図示しない断裁機に送られ、綴じ側の反対側の小口部を切り揃え、図１に示す中綴じ折りした冊子本１が完成される。
【００１４】
なお、図２に示す装置は、丁合いした用紙束Ｈを綴じてから折り畳むが、図３に示すように、小用紙類２を挿入して丁合いした用紙束Ｈを折り機８に送り、突き上げローラ８１で用紙束Ｈの中央ラインＬを突き上げながらその両側をベルト８３および挟圧ローラ８２で挟圧して中央ラインＬ部を折り曲げ、折り曲げた用紙束Ｈを図示しない鞍に掛け、搬送機９でステッチャーを配置した綴じ部に送って、ステッチャーで小用紙類２を外した両側を綴じるようにしてもよい。すなわち、針金で綴じる前に折り畳むようにしてもよい。
【００１５】
以上の説明は、小用紙類として郵便はがき、該郵便はがきに長手方向に延長部を設け、その延長部分で折り曲げるものであるが、延長部分は幅方向に設けるようにしてもよく、また、小用紙類は郵便はがきに限らず、たとえば封筒、コンパクトディスクを装着する台紙、などでもよい。
【図面の簡単な説明】
【００１６】
【図１】本発明の実施例に係る小用紙類を折込み挿入した中綴じ冊子本の斜視図である。
【図２】本発明の実施例に係る小用紙類を折込み挿入した中綴じ冊子本を作成する装置の構成図である。
【図３】本発明の他の実施例に係る小用紙類を折込み挿入した中綴じ冊子本を作成する装置の要部構成図である。
【符号の説明】
【００１７】
１  中綴じ折りした冊子本
２  小用紙類
３  針金
４  丁合機
４１  給紙ローラ
４２  用紙載置棚
４３  搬送ベルト
５  中綴じ折り機
５１  ステッチャー
５２  位置決めストッパー
５３  折りナイフ
５４  折りローラ
６  排出台
７  折癖付けローラ
８  折り機
９  用紙搬送機
Ｐ１〜Ｐｎ  用紙
Ｈ  丁合いした用紙束
【図１】
2007301789.tif 000003
【図２】
2007301789.tif 000004
【図３】
2007301789.tif 000005